(57)【要約】【課題】  記録媒体がハイブリッドディスクの場合、情報再生時のみならず、情報記録時にも正規品か否かの判定を行うことにより、より確実な不正使用防止を可能とした光ディスク装置を提供する。【解決手段】  まず記録動作か再生動作かを判断し（Ｓ２）、再生動作であれば（Ｓ３）、正規品か否かの判定を行い（Ｓ４）、正規品であれば再生処理を行う（Ｓ５）。ステップＳ２で記録動作の場合も（Ｓ１）、正規品か否かの判定を行い（Ｓ４）、正規品であれば再生処理を行う（Ｓ５）。【選択図】  図４
2005085414.tif 000002
【特許請求の範囲】
【請求項１】
読取専用領域と記録領域とを有するハイブリッドディスクの不正使用防止手段を備えた光ディスク装置であって、
前記不正使用防止手段は、前記読取専用領域に記録された情報を再生する際に当該ハイブリッドディスクが正規品か否かを判定する再生時判定手段を備え、
前記ハイブリッドディスクに情報の記録を行う場合も、前記再生時判定手段により当該ハイブリッドディスクが正規品か否かを判定することを特徴とする光ディスク装置。
【請求項２】
読取専用領域と記録領域とを有するハイブリッドディスクの不正使用防止手段を備えた光ディスク装置であって、
前記不正使用防止手段は、前記ハイブリッドディスクの情報の再生及び記録を行う場合、前記読取専用領域に記録された情報を再生する際に取得可能な情報を用いて、当該ハイブリッドディスクが正規品か否かを判定する再生情報判定手段と、前記記録領域に情報を記録する際に取得可能な情報を用いて、当該ハイブリッドディスクが正規品か否かを判定する記録情報判定手段と、を備え、
前記再生情報判定手段及び記録情報判定手段の両判定結果が正規の情報である場合に当該ハイブリッドディスクを正規品と判定することを特徴とする光ディスク装置。
【請求項３】
前記不正使用防止手段は、前記読取専用領域に記録された情報を再生する際には、前記再生情報判定手段の判定結果が正規の情報である場合に当該ハイブリッドディスクを正規品と判定し、前記記録領域に情報を記録する際には、前記記録情報判定手段及び前記再生情報判定手段の両判定結果が正規の情報である場合に当該ハイブリッドディスクを正規品と判定することを特徴とする請求項２に記載の光ディスク装置。
【請求項４】
前記不正使用防止手段は、前記読取専用領域に記録された情報を再生する際には、前記再生情報判定手段の判定結果が正規の情報である場合に当該ハイブリッドディスクを正規品と判定し、前記記録領域に情報を記録する際には、前記記録情報判定手段の判定結果が正規の情報である場合に当該ハイブリッドディスクを正規品と判定することを特徴とする請求項２に記載の光ディスク装置。
【請求項５】
読取専用領域と記録領域とを有するハイブリッドディスクの不正使用防止方法であって、
前記不正使用防止方法は、前記読取専用領域に記録された情報を再生する際に当該ハイブリッドディスクが正規品か否かを判定する再生時判定ステップを備え、
前記ハイブリッドディスクに情報の記録を行う場合も、前記再生時判定ステップにより当該ハイブリッドディスクが正規品か否かを判定することを特徴とする光ディスクの不正使用防止方法。
【請求項６】
読取専用領域と記録領域とを有するハイブリッドディスクの不正使用防止方法であって、
前記不正使用防止方法は、前記ハイブリッドディスクの情報の再生及び記録を行う場合、前記読取専用領域に記録された情報を再生する際に取得可能な情報を用いて、当該ハイブリッドディスクが正規品か否かを判定する再生情報判定ステップと、前記記録領域に情報を記録する際に取得可能な情報を用いて、当該ハイブリッドディスクが正規品か否かを判定する記録情報判定ステップと、を備え、
前記再生情報判定ステップ及び記録情報判定ステップの両判定結果が正規の情報である場合に当該ハイブリッドディスクを正規品と判定することを特徴とする光ディスクの不正使用防止方法。
【請求項７】
前記不正使用防止方法は、前記読取専用領域に記録された情報を再生する際には、前記再生情報判定ステップの判定結果が正規の情報である場合に、当該ハイブリッドディスクを正規品と判定し、前記記録領域に情報を記録する際には、前記記録情報判定ステップ及び前記再生情報判定ステップの両判定結果が正規の情報である場合に、当該ハイブリッドディスクを正規品と判定することを特徴とする請求項６に記載の光ディスクの不正使用防止方法。
【請求項８】
前記不正使用防止ステップは、前記読取専用領域に記録された情報を再生する際には、前記再生情報判定ステップの判定結果が正規の情報である場合に当該ハイブリッドディスクを正規品と判定し、前記記録領域に情報を記録する際には、前記記録情報判定ステップの判定結果が正規の情報である場合に当該ハイブリッドディスクを正規品と判定することを特徴とする請求項６に記載の光ディスクの不正使用防止方法。
【請求項９】
請求項５乃至８の何れか一項に記載の光ディスクの不正使用防止方法をコンピュータが制御可能にプログラミングしたことを特徴とする光ディスクの不正使用防止プログラム。
【請求項１０】
請求項９に記載の光ディスクの不正使用防止プログラムをコンピュータが読み取り可能な形式で記録したことを特徴とする記録媒体。
【発明の詳細な説明】
【技術分野】
【０００１】
本発明は、光ディスク装置に関し、さらに詳しくは、読取専用領域と記録領域とを有するハイブリッドディスクの不正使用防止方法に関するものである。
【背景技術】
【０００２】
従来、アプリケーションソフトウェア、静止画、動画などのコンテンツは、ＣＤ−ＲＯＭなどの媒体に記録されて配布（販売）されるのが一般的である。このようなＣＤ媒体のディスクでは、記録されているデータがデジタルデータであり、複製による劣化が生じないことから、不正にコピーされる場合があり、これに対して不正コピーおよびコピーされた媒体の不正使用を防ぐ技術（不正使用防止技術）が提案されている。この不正使用防止技術は、媒体に記録されている情報の再生時に行われるのが一般的である。図９は従来の不正使用防止技術を説明するフローチャートである。まず記録動作か再生動作かを判断し（Ｓ５２）、再生動作であれば（Ｓ５１）、正規品か否かの判定を行い（Ｓ５３）、正規品であれば再生処理を行う（Ｓ５４）。ステップＳ５２で記録動作であれば（Ｓ５０）、判定動作を行わずに無条件に再生処理を行う（Ｓ５４）。
また、コンパクトディスクの分野では、近年、読取専用領域（以下ＲＯＭ部とする）と、書き込み可能領域もしくは書き換え可能領域（以下ＲＡＭ部とする）を持つハイブリッドディスク（図３参照）が開発されており、同ディスクを上記ＣＤ−ＲＯＭの代替として、同ディスクのＲＯＭ部に予めコンテンツを書き込んだ状態で配布（販売）することが提案されている。このようなハイブリッドディスクでは、既存のディスクとの互換性を確保するために、ファーストセッションをＲＯＭ部としてスタンプし、それ以降の領域をＲＡＭ部として扱うものがある。こうすることにより、ハイブリッドディスクを認識できないシステムにおいても、当該ディスクをマルチセッション記録されたディスクとして取り扱うことが可能となるので、少なくとも読み取り互換性を確保することが可能となる。
また不正使用防止技術の従来例とした、特開２０００−３５６０公報には、誤り訂正符号化された再生対象データに、識別情報を重畳して得られるオリジナルデータが記録された記録媒体について開示されている。
また特開２０００−１５６０３６公報には、著作権のあるディジタル信号を複数の記録媒体にコピーすることを防止し、また、不正コピーされたディジタル信号を再生できないようにする技術について開示されている。
また特開２００３−１２３４０１公報には、コピープロテクトのために再生が不能な領域を形成するため、データ記録容量が低下したり、電子透かしを用いたものは、ピット形成時に起きた問題との切り離しが困難であり、検出に特殊な処理を必要とする等の問題を解決する技術について開示されている。
また特開平１０−１８８４５４号公報には、情報記録媒体の不正コピー防止用のキー情報を確実に再生する技術について開示されている。 
【特許文献１】特開２０００−３５６０公報
【特許文献２】特開２０００−１５６０３６公報
【特許文献３】特開２００３−１２３４０１公報
【特許文献４】特開平１０−１８８４５４号公報
【発明の開示】
【発明が解決しようとする課題】
【０００３】
しかし、ハイブリッドディスクでは、ＣＤ−ＲＯＭとは異なり情報再生のみならず、情報記録も可能であるため、不正使用防止の観点からは情報再生時のみならず、情報記録時にも正規品か否かの判定を行うことが望ましいが、情報再生時のみ正規品か否かの判定を行っており、情報記録時の不正使用防止が行われないといった問題がある。
また、特許文献１〜３に開示されている従来技術は、ハイブリッドディスクの不正使用防止については言及が成されていないため、同じく情報記録時の不正使用防止が行われないといった問題がある。
本発明は、かかる課題に鑑み、記録媒体がハイブリッドディスクの場合、情報再生時のみならず、情報記録時にも正規品か否かの判定を行うことにより、より確実な不正使用防止を可能とした光ディスク装置を提供することを目的とする。
【課題を解決するための手段】
【０００４】
本発明はかかる課題を解決するために、請求項１は、読取専用領域と記録領域とを有するハイブリッドディスクの不正使用防止手段を備えた光ディスク装置であって、前記不正使用防止手段は、前記読取専用領域に記録された情報を再生する際に当該ハイブリッドディスクが正規品か否かを判定する再生時判定手段を備え、前記ハイブリッドディスクに情報の記録を行う場合も、前記再生時判定手段により当該ハイブリッドディスクが正規品か否かを判定することを特徴とする。
従来、ＣＤ−ＲＯＭなどの媒体を不正コピーおよびコピーされた媒体の不正使用を防ぐ技術が提案され、その方法は媒体に記録されている情報の再生時に行われていた。また、コンパクトディスクの分野では、ハイブリッドディスクが開発されており、同ディスクを上記ＣＤ−ＲＯＭの代替として、同ディスクのＲＯＭ部に予めコンテンツを書き込んだ状態で配布（販売）することが提案されている。このような媒体では、ＣＤ−ＲＯＭとは異なり情報再生のみならず、情報記録も可能であるため、不正使用防止の観点からは情報再生時のみではなく、情報記録時にも正規品か否かの判定を行うことが望ましい。そこで本発明では、情報再生時のみならず、情報記録時にも再生時と同様にハイブリッドディスクが正規品か否かの判定を行う。
かかる発明によれば、情報再生時だけでなく、情報記録時にも正規品か否かの判定を行うので、記録領域と再生領域を持つ情報媒体に対して、より厳しく不正使用を防止することが可能となる。
請求項２は、読取専用領域と記録領域とを有するハイブリッドディスクの不正使用防止手段を備えた光ディスク装置であって、前記不正使用防止手段は、前記ハイブリッドディスクの情報の再生及び記録を行う場合、前記読取専用領域に記録された情報を再生する際に取得可能な情報を用いて、当該ハイブリッドディスクが正規品か否かを判定する再生情報判定手段と、前記記録領域に情報を記録する際に取得可能な情報を用いて、当該ハイブリッドディスクが正規品か否かを判定する記録情報判定手段と、を備え、前記再生情報判定手段及び記録情報判定手段の両判定結果が正規の情報である場合に当該ハイブリッドディスクを正規品と判定することを特徴とする。
請求項１に記載したような、再生領域と記録領域を持つ媒体において、情報再生時には情報再生機能を有する装置が必要であり、情報記録時には情報記録機能を有する装置が必要である。一般に、情報記録装置は情報再生機能を同時に有している場合が多く、また、情報再生装置に比べてより多くの媒体情報を取得できる場合が多い。従って、ハイブリッドディスクのように情報記録装置を有する場合は、情報再生時及び情報記録時において、それぞれが動作して取得できる特有の情報を判定して両者が正しい場合に、正規のハイブリッドディスクと判定するものである。
かかる発明によれば、情報再生時及び情報記録時において、それぞれが動作して取得できる特有の情報を判定して両者が正しい場合に、正規のハイブリッドディスクと判定するので、より強力な不正使用防止技術を提供することができる。
【０００５】
請求項３は、前記不正使用防止手段は、前記読取専用領域に記録された情報を再生する際には、前記再生情報判定手段の判定結果が正規の情報である場合に当該ハイブリッドディスクを正規品と判定し、前記記録領域に情報を記録する際には、前記記録情報判定手段及び前記再生情報判定手段の両判定結果が正規の情報である場合に当該ハイブリッドディスクを正規品と判定することを特徴とする。
前記請求項２に記載した装置が、記録機能を有する場合にのみ取得できる情報を用いた判定方法と、装置が記録機能を有さない場合に取得できる情報を用いた判定方法の両者を常に使用すると、それだけ処理時間がかかってしまう。そこで本発明では、情報再生時には情報再生時に特有に取得できる情報で判定し、情報記録時においては、それぞれが動作して取得できる特有の情報を判定して両者が正しい場合に、正規のハイブリッドディスクと判定するものである。
かかる発明によれば、情報再生時には情報再生時に特有に取得できる情報で判定するので、情報再生時に媒体が正規品か否かの判定にかかる時間を削減することができる。
【０００６】
請求項４は、前記不正使用防止手段は、前記読取専用領域に記録された情報を再生する際には、前記再生情報判定手段の判定結果が正規の情報である場合に当該ハイブリッドディスクを正規品と判定し、前記記録領域に情報を記録する際には、前記記録情報判定手段の判定結果が正規の情報である場合に当該ハイブリッドディスクを正規品と判定することを特徴とする。
本発明は請求項３に記載の不正使用防止技術の使用方法において、記録時には、装置が記録機能を有する場合にのみ取得できる情報を用いた判定のみを用いることを特徴とする。
かかる発明によれば、記録時には、装置が記録機能を有する場合にのみ取得できる情報を用いた判定のみを用いるので、情報記録時に、該媒体が正規品か否かの判定にかかる時間を削減することが可能となる。
請求項５は、読取専用領域と記録領域とを有するハイブリッドディスクの不正使用防止方法であって、前記不正使用防止方法は、前記読取専用領域に記録された情報を再生する際に当該ハイブリッドディスクが正規品か否かを判定する再生時判定ステップを備え、前記ハイブリッドディスクに情報の記録を行う場合も、前記再生時判定ステップにより当該ハイブリッドディスクが正規品か否かを判定することを特徴とする。
かかる発明によれば、請求項１と同様の作用効果を奏する。
請求項６は、読取専用領域と記録領域とを有するハイブリッドディスクの不正使用防止方法であって、前記不正使用防止方法は、前記ハイブリッドディスクの情報の再生及び記録を行う場合、前記読取専用領域に記録された情報を再生する際に取得可能な情報を用いて、当該ハイブリッドディスクが正規品か否かを判定する再生情報判定ステップと、前記記録領域に情報を記録する際に取得可能な情報を用いて、当該ハイブリッドディスクが正規品か否かを判定する記録情報判定ステップと、を備え、前記再生情報判定ステップ及び記録情報判定ステップの両判定結果が正規の情報である場合に当該ハイブリッドディスクを正規品と判定することを特徴とする。
かかる発明によれば、請求項２と同様の作用効果を奏する。
【０００７】
請求項７は、前記不正使用防止方法は、前記読取専用領域に記録された情報を再生する際には、前記再生情報判定ステップの判定結果が正規の情報である場合に、当該ハイブリッドディスクを正規品と判定し、前記記録領域に情報を記録する際には、前記記録情報判定ステップ及び前記再生情報判定ステップの両判定結果が正規の情報である場合に、当該ハイブリッドディスクを正規品と判定することを特徴とする。
かかる発明によれば、請求項３と同様の作用効果を奏する。
請求項８は、前記不正使用防止ステップは、前記読取専用領域に記録された情報を再生する際には、前記再生情報判定ステップの判定結果が正規の情報である場合に当該ハイブリッドディスクを正規品と判定し、前記記録領域に情報を記録する際には、前記記録情報判定ステップの判定結果が正規の情報である場合に当該ハイブリッドディスクを正規品と判定することを特徴とする。
かかる発明によれば、請求項４と同様の作用効果を奏する。
請求項９は、請求項５乃至８の何れか一項に記載の光ディスクの不正使用防止方法をコンピュータが制御可能にプログラミングしたことを特徴とする。
かかる発明によれば、本発明の光ディスクの不正使用防止方法をコンピュータが制御可能なＯＳに従ってプログラミングすることにより、そのＯＳを備えたコンピュータであれば同じ処理方法により制御することができる。
請求項１０は、請求項９に記載の光ディスクの不正使用防止プログラムをコンピュータが読み取り可能な形式で記録したことを特徴とする。
かかる発明によれば、光ディスクの不正使用防止プログラムをコンピュータが読み取り可能な形式で記録媒体に記録することにより、この記録媒体を持ち運ぶことにより何処でもプログラムを稼動することができる。
【発明の効果】
【０００８】
以上記載のごとく請求項１、５の発明によれば、情報再生時だけでなく、情報記録時にも正規品か否かの判定を行うので、記録領域と再生領域を持つ情報媒体に対して、より厳しく不正使用を防止することが可能となる。
また請求項２、６では、情報再生時及び情報記録時において、それぞれが動作して取得できる特有の情報を判定して両者が正しい場合に、正規のハイブリッドディスクと判定するので、より強力な不正使用防止技術を提供することができる。
また請求項３、７では、情報再生時には情報再生時に特有に取得できる情報で判定するので、情報再生時に媒体が正規品か否かの判定にかかる時間を削減することができる。
また請求項４、８では、記録時には、装置が記録機能を有する場合にのみ取得できる情報を用いた判定のみを用いるので、情報記録時に、該媒体が正規品か否かの判定にかかる時間を削減することが可能となる。
また請求項９では、本発明の光ディスクの不正使用防止方法をコンピュータが制御可能なＯＳに従ってプログラミングすることにより、そのＯＳを備えたコンピュータであれば同じ処理方法により制御することができる。
また請求項１０では、光ディスクの不正使用防止プログラムをコンピュータが読み取り可能な形式で記録媒体に記録することにより、この記録媒体を持ち運ぶことにより何処でもプログラムを稼動することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態の光ディスク装置の構成を示すブロック図である。この光ディスク装置は、スピンドルモータ２により回転駆動されるＣＤもしくはＤＶＤの光ディスク１と、ＣＬＶ(Constant Linear Velocity：線速一定)もしくはＣＡＶ(Constant Angular Velocity：回転数一定)制御されるスピンドルモータ２と図示しない光ピックアップ３内のアクチュエータを駆動するモータドライバ４と、このモータドライバ４にサーボ制御のための信号を生成するサーボ手段６と、前記光ピックアップ３内の図示しない受光素子からの各信号を演算処理するリードアンプ５と、図示しないＣＤ用の半導体レーザ光源とのＤＶＤ用半導体レーザ光源、対物レンズ等の光学系、及びアクチュエータを内蔵した光ピックアップ３と、レーザ光源の光量等を制御するレーザコントローラ９と、光ディスク１に刻まれているＡＴＩＰ(Absolute Time In Pre-groove)情報を取り出すＡＴＩＰデコーダ８と、データの正確な書き出し位置を生成するＣＤエンコーダ回路１０と、２値化されたＲＦ信号をＥＦＭ（Eight to Fourteen Modulation）変調するＣＤデコーダ７と、データを一時記憶するバッファＲＡＭ１２と、このバッファＲＡＭ１２を制御するバッファマネージャ１３と、バッファＲＡＭ１２に接続され、ＡＴＡＰＩやＳＣＳＩインターフェイスを有するＡＴＡＰＩ／ＳＣＳＩインターフェイス１５と、ＣＤデコーダ７に接続され、オーディオ信号を出力するＤ／Ａコンバータ１６と、エラー訂正コードの不可やインターリーブ（並べ替え）が行われた後ＥＦＭ変調するＣＤ−ＲＯＭエンコーダ１１と、ＥＦＭ復調されたデータをデインタリーブ（並べ替え直し）とエラー訂正の処理をするＣＤ−ＲＯＭデコーダ１４と、ＲＯＭ１７とＲＡＭ１９を有し、全体の制御を司るシステムコントローラ（ＣＰＵ）１８から構成されている。
【００１０】
次に、図１を使いＣＤ系（ＣＤ−ＲＯＭ／Ｒ／ＲＷ）の動作説明を行なう。この図１において、矢印はデータが主に流れる方向を示しており、また、図を簡略化するために、図１の各ブロックを制御するＣＰＵ１８には、太線のみを付けて各ブロックとの接続を省略している。光ディスクドライブの構成と動作は、次のとおりである。光ディスク１は、スピンドルモータ２によって回転駆動される。このスピンドルモータ２は、モータドライバ４とサーボ手段５により、線速度が一定になるように制御される。この線速度は、階段的に変更することが可能である。光ピックアップ３は、図示されない半導体レーザ、光学系、フォーカスアクチュエータ、トラックアクチュエータ、受光素子およびポジションセンサを内蔵しており、レーザ光ＬＢを光ディスク１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段５により、レーザ光ＬＢのスポットが光ディスク１上の目的の場所に位置するように制御される。そして、リード時には、光ピックアップ３によって得られた再生信号が、リードアンプ５で増幅されて２値化された後、ＣＤデコーダ７に入力される。入力された２値化データは、このＣＤデコーダ７において、ＥＦＭ復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
復調されたデータは、デインターリーブとエラー訂正の処理が行われる。その後、このデータは、ＣＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェイス１５を介して、図示しないホストコンピュータへ一気に転送される。なお、音楽データの場合には、ＣＤデコーダ７から出力されたデータが、Ｄ／Ａコンバータ１６へ入力され、アナログのオーディオ出力信号Ａｕｄｉｏとして取り出される。
【００１１】
また、ライト時には、ＡＴＡＰＩ／ＳＣＳＩインターフェイス１５を通して、ホストコンピュータから送られてきたデータは、バッファマネージャ１３によって一旦バッファＲＡＭ１２に蓄えられる。そして、バッファＲＡＭ１２内にある程度の量のデータが蓄積された状態で、ライト動作が開始されるが、この場合には、その前にレーザスポットを書き込み開始地点に位置させる必要がある。この地点は、トラックの蛇行により予め光ディスク１上に刻まれているウォブル信号によって求められる。ウォブル信号には、ＡＴＩＰと呼ばれる絶対時間情報が含まれており、この情報が、ＡＴＩＰデコーダ８によって取り出される。また、このＡＴＩＰデコーダ８によって生成される同期信号は、ＣＤエンコーダ１０へ入力され、光ディスク１上の正確な位置へのデータの書き込みを可能にしている。バッファＲＡＭ１２のデータは、ＣＤ−ＲＯＭエンコーダ１１やＣＤエンコーダ１０において、エラー訂正コードの付加や、インターリーブが行われ、レーザコントローラ９、光ピックアップ３を介して、光ディスク１に記録される。
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００１２】
図２は図１の光ディスク装置２３を使用した情報処理装置の概略図である。この情報処理装置１００は、キーボードマウス等で構成される入力装置２０と、ＣＲＴ，ＬＣＤ等で構成される出力装置２２と、図１の光ディスク装置２３と、全体を制御する制御部２１とを備えて構成される。
図３は、本発明のハイブリッドディスクの説明図である。このハイブリッドディスク１００は、予めアプリケーションソフトウェアやデータがスタンプされた再生専用領域ＲＯＭ部４０と、記録領域ＲＡＭ部４１を備えて構成される。
【００１３】
図４は本発明の第１の実施形態の不正使用防止技術を説明するフローチャートである。まず記録動作か再生動作かを判断し（Ｓ２）、再生動作であれば（Ｓ３）、正規品か否かの判定を行い（Ｓ４）、正規品であれば再生処理を行う（Ｓ５）。ステップＳ２で記録動作の場合も（Ｓ１）、正規品か否かの判定を行い（Ｓ４）、正規品であれば再生処理を行う（Ｓ５）。
このように従来、ＣＤ−ＲＯＭなどの媒体を不正コピーおよびコピーされた媒体の不正使用を防ぐ技術が提案されているが、その方法は図９のように媒体に記録されている情報の再生時にのみ行われていた。そこで本実施形態では、情報再生時のみならず、情報記録時にも再生時と同様にハイブリッドディスクが正規品か否かの判定を行うものである。
図５はハイブリッドディスクから取得可能な情報の関係を表す図である。情報記録再生装置３０が記録機能を有する場合に取得できる情報には、ＡＴＩＰ情報３２ａや、ＰＭＡ情報３２ｂなどがある。ＡＴＩＰには、該媒体の最大記録可能時間や、対応している記録速度、目標となる書き込みパワーなどが保持されている。また、ＰＭＡには、ＤｉｓｃＩＤと呼ばれる値が保持されている。これらの情報は、情報再生装置３１からは一般的に取得できない。また、情報再生装置３１から取得できる情報としては、ＴＯＣ情報３３ａや、各セクタに対して設定されるエラー訂正情報３３ｂなどがある。これらを組み合わせて使用することで、より強固な不正使用防止技術とすることができる。
【００１４】
図６は本発明の第２の実施形態の不正使用防止技術を説明するフローチャートである。まず記録動作か再生動作かを判断し（Ｓ１２）、再生動作であれば（Ｓ１３）、記録機能を有する場合のみ取得可能な情報（例えばＡＴＩＰ情報３２ａや、ＰＭＡ情報３２ｂなど）の判定を行い（Ｓ１４）、次に記録機能を有さない場合に取得可能な情報（例えばＴＯＣ情報３３ａや、各セクタに対して設定されるエラー訂正情報３３ｂなど）の判定を行い（Ｓ１５）、両方の情報が正しい情報であれば再生処理を行う（Ｓ１６）。ステップＳ１２で記録動作か再生動作かを判断し（Ｓ１２）、記録動作の場合も（Ｓ１１）、ステップＳ１４とＳ１５の動作を行い、両方の情報が正しい情報であれば記録処理を行う（Ｓ１６）。
これは図３のように、再生領域４０と記録領域４１を持つ媒体において、情報再生時には情報再生機能を有する装置が必要であり、情報記録時には情報記録機能を有する装置が必要である。一般に、情報記録再生装置３０は情報再生機能を同時に有しているので、情報再生装置３１に比べてより多くの媒体情報を取得できる場合が多い。従って、ハイブリッドディスクのように情報記録再生装置３０を有する場合は、情報再生時及び情報記録時において、それぞれが動作して取得できる特有の情報を判定して両者が正しい場合に、正規のハイブリッドディスクと判定するものである。
【００１５】
図７は本発明の第３の実施形態の不正使用防止技術を説明するフローチャートである。まず記録動作か再生動作かを判断し（Ｓ２２）、再生動作であれば（Ｓ２３）、記録機能を有さない場合に取得可能な情報（例えばＴＯＣ情報３３ａや、各セクタに対して設定されるエラー訂正情報３３ｂなど）の判定を行い（Ｓ２５）。情報が正しい情報であれば再生処理を行う（Ｓ２６）。ステップＳ２２で記録動作か再生動作かを判断し（Ｓ２２）、記録動作の場合は（Ｓ２１）、記録機能を有する場合のみ取得可能な情報（例えばＡＴＩＰ情報３２ａや、ＰＭＡ情報３２ｂなど）の判定を行い（Ｓ２４）、次に記録機能を有さない場合に取得可能な情報（例えばＴＯＣ情報３３ａや、各セクタに対して設定されるエラー訂正情報３３ｂなど）の判定を行い（Ｓ２５）、情報が正しい情報であれば記録処理を行う（Ｓ２６）。
図６のように、記録機能を有する場合にのみ取得できる情報を用いた判定方法と、装置が記録機能を有さない場合に取得できる情報を用いた判定方法の両者を常に使用すると、それだけ処理時間がかかってしまう。そこで本実施形態では、情報再生時には情報再生時に特有に取得できる情報で判定し、情報記録時においては、それぞれが動作して取得できる特有の情報を判定して両者が正しい場合に、正規のハイブリッドディスクと判定するものである。
【００１６】
図８は本発明の第４の実施形態の不正使用防止技術を説明するフローチャートである。まず記録動作か再生動作かを判断し（Ｓ３２）、再生動作であれば（Ｓ３３）、記録機能を有さない場合に取得可能な情報（例えばＴＯＣ情報３３ａや、各セクタに対して設定されるエラー訂正情報３３ｂなど）の判定を行い（Ｓ３５）。情報が正しい情報であれば再生処理を行う（Ｓ３６）。ステップＳ３２で記録動作か再生動作かを判断し（Ｓ３２）、記録動作の場合は（Ｓ３１）、記録機能を有する場合のみ取得可能な情報（例えばＡＴＩＰ情報３２ａや、ＰＭＡ情報３２ｂなど）の判定を行い（Ｓ３４）、情報が正しい情報であれば記録処理を行う（Ｓ３６）。
本実施形態は図７に記載の不正使用防止技術の使用方法において、記録時には、装置が記録機能を有する場合にのみ取得できる情報を用いた判定のみを用いることを特徴とする。
以上本実施形態に記載のフローチャートは、本発明のＲＯＭ１７に記録されたプログラムを読み込んだホスト側のＣＰＵがそのプログラムに従って、光ディスク装置２３に指令を出して処理するものである。
【図面の簡単な説明】
【００１７】
【図１】本発明の実施形態の光ディスク装置の構成を示すブロック図である。
【図２】本発明の図１の光ディスク装置２３を使用した情報処理装置の概略図である。
【図３】本発明のハイブリッドディスクの説明図である。
【図４】本発明の第１の実施形態の不正使用防止技術を説明するフローチャートである。
【図５】本発明のハイブリッドディスクから取得可能な情報の関係を表す図である。
【図６】本発明の第２の実施形態の不正使用防止技術を説明するフローチャートである。
【図７】本発明の第３の実施形態の不正使用防止技術を説明するフローチャートである。
【図８】本発明の第４の実施形態の不正使用防止技術を説明するフローチャートである。
【図９】従来の不正使用防止技術を説明するフローチャートである。
【符号の説明】
【００１８】
１  光ディスク、２  スピンドルモータ、３  光ピックアップ、４  モータドライバ、５  リードアンプ、６  サーボ手段、７  ＣＤデコーダ、８  ＡＴＩＰデコーダ、９  レーザコントローラ、１０  ＣＤエンコーダ回路、１１  ＣＤ−ＲＯＭエンコーダ、１２  バッファＲＡＭ、１３  バッファマネージャ、１４  ＣＤ−ＲＯＭデコーダ、１５  ＡＴＡＰＩ／ＳＣＳＩインターフェイス、１６  Ｄ／Ａコンバータ、１７  ＲＯＭ、１８  システムコントローラ（ＣＰＵ）、１９  ＲＡＭ
【図１】
2005085414.tif 000003
【図２】
2005085414.tif 000004
【図３】
2005085414.tif 000005
【図４】
2005085414.tif 000006
【図５】
2005085414.tif 000007
【図６】
2005085414.tif 000008
【図７】
2005085414.tif 000009
【図８】
2005085414.tif 000010
【図９】
2005085414.tif 000011